(57)【要約】【課題】従来必要であったバッファをなくして、コストの削減を可能とした光加入者線端局装置およびフレームの伝送方法を提供すること。【解決手段】制御部１１は、自身宛ての制御フレームを生成し、出力部１７に制御フレームをＬ２／Ｌ３スイッチ３に送信させる。制御フレーム書換部１３は、入力部１２によって受信された制御フレームをＯＮＵ宛ての制御フレームに書換えて、送信部１４に制御フレームを送信させる。したがって、Ｌ２／Ｌ３スイッチ３からの主信号の合間に制御フレームを挿入する必要がなくなり、従来必要であったバッファをなくして、コストを削減することが可能となる。【選択図】        図２
2004201013.tif 000002
【特許請求の範囲】
【請求項１】
上位スイッチとの間でフレームの送受信を行なうための第１の通信手段と、
光加入者線終端装置との間でフレームの送受信を行うための第２の通信手段と、
自身宛ての第１のフレームを生成し、前記第１の通信手段に前記第１のフレームを前記上位スイッチに送信させるための制御手段と、
前記第１の通信手段によって受信された前記第１のフレームを前記光加入者線終端装置宛ての第２のフレームに書換えて、前記第２の通信手段に前記第２のフレームを前記光加入者線終端装置に送信させるための書換手段とを含む光加入者線端局装置。
【請求項２】
前記制御手段は、前記第１のフレームに格納すべき情報を前記第１のフレームに格納せずに当該情報を前記書換手段に転送し、
前記書換手段は、前記第１の通信手段によって受信された前記第１のフレームを前記第２のフレームに書換える際に、前記制御手段から転送された情報を前記第２のフレームに格納する、請求項１記載の光加入者線端局装置。
【請求項３】
前記制御手段は、一定周期で前記第１のフレームを生成して前記第１の通信手段に送信させ、
前記書換手段は、前記制御手段から前記第１のフレームの書換え指示があった場合にのみ、前記第１の通信手段によって受信された前記第１のフレームを前記第２のフレームに書換えて前記第２の通信手段に送信させ、
前記制御手段から前記第１のフレームの書換え指示がない場合には、前記第１の通信手段によって受信された前記第１のフレームを廃棄する、請求項１記載の光加入者線端局装置。
【請求項４】
前記光加入者線終端装置のアドレスは、前記第１のフレームのデータフィールドに格納される、請求項１〜３のいずれかに記載の光加入者線端局装置。
【請求項５】
前記制御手段は、前記光加入者線終端装置から送られ、前記光加入者線端局装置を経由して前記上位スイッチへ送信される上り信号を、前記上位スイッチへ送られる特定フレームと衝突しないように一括してアクセス制御を行なう、請求項１記載の光加入者線端局装置。
【請求項６】
光加入者線端局装置から光加入者線終端装置へ特定フレームを伝送するフレームの伝送方法であって、
自身の光加入者線端局装置宛ての第１のフレームを生成して上位スイッチへ送信するステップと、
前記上位スイッチから受信した前記第１のフレームを前記光加入者線終端装置宛ての第２のフレームに書換えて、前記光加入者線終端装置に送信するステップとを含む、フレームの伝送方法。
【請求項７】
前記フレームの伝送方法はさらに、前記上位スイッチが前記光加入者線端局装置から前記第１のフレームを受信したときに、当該第１のフレームを他のフレームに優先して前記光加入者線端局装置へ送信するステップを含む、請求項６記載のフレームの伝送方法。
【発明の詳細な説明】
【０００１】
【発明の属する技術分野】
本発明は、複数の宅側装置が媒体を共有してデータの伝送を行なう媒体共有型通信であるＰＯＮ（Passive Optical Network）に関し、特に、データをイーサネット（Ｒ）フレームのまま伝送するＥＰＯＮ（Ethernet(R) PON）におけるＯＬＴ（光加入者線端局装置）およびＯＬＴのフレームの伝送方法に関する。
【０００２】
【従来の技術】
近年、インターネットが広く普及しており、利用者は世界各地で運営されているサイトの様々な情報にアクセスし、その情報を入手することが可能である。それに伴って、ＡＤＳＬ（Asymmetric Digital Subscriber Line）、ＦＴＴＨ（Fiber To The Home）などのブロードバンドアクセスに対する要望も急速に高まってきている。
【０００３】
これに関連する先行技術として、特再平１１−８３８２９２号公報（以下、第１の先行技術と呼ぶ。）および「IPACT:A Dynamic Protocol for an Ethernet(R) PON」（Glen Kramer他、pp74-80,IEEE Commun,Feb.2002.）（以下、第２の先行技術と呼ぶ。）がある。
【０００４】
第１の先行技術は、ポイント・マルチポイント通信システムに関し、主装置は各従装置から申告を受け、その申告された情報量に基づいて特定の最大値以下で各従装置に対して送信を許可する許可量を算出し、この算出された許可量に基づいて信号の送信を各従装置へ指示するものである。
【０００５】
また、第２の先行技術は、ＥＰＯＮ方式のＦＴＴＨサービスにおける動的割当方式に関するものであり、ＯＬＴが各ＯＮＵに対して独立にレポートを送出させ、その都度ＯＬＴが対応するＯＮＵにグラントを発行する分散型割当方式に関するものである。
【０００６】
【特許文献１】
特再平１１−８３８２９２号公報
【０００７】
【非特許文献１】
「IPACT:A Dynamic Protocol for an Ethernet(R) PON」（Glen Kramer他、pp74-80,IEEE Commun,Feb.2002.）
【０００８】
【発明が解決しようとする課題】
上述した第１の先行技術においては、主装置内にバッファメモリが設けられている。この理由は、主信号はアクセス制御とは無関係に入力され、その主信号の合間に制御フレームを挿入してＰＯＮ区間に送出する必要があるため、主信号の欠落を防ぐために主信号を一時的に保持する機構が必要になるからである。しかしながら、このバッファメモリは高価であるため、第１の先行技術においてはシステムのコストが高くなるという問題点があった。
【０００９】
また、上述した第２の先行技術においては、分散型割当方式に関する技術が開示されているが、制御フレームに関する特別な機構が設けられていないため、第１の先行技術において発生する問題点を解決することはできない。
【００１０】
本発明は、上記問題点を解決するためになされたものであり、その目的は、従来必要であったバッファをなくして、コストの削減を可能とした光加入者線端局装置およびフレームの伝送方法を提供することである。
【００１１】
【課題を解決するための手段】
請求項１に記載の光加入者線端局装置は、上位スイッチとの間でフレームの送受信を行なうための第１の通信手段と、光加入者線終端装置との間でフレームの送受信を行うための第２の通信手段と、自身宛ての第１のフレームを生成し、第１の通信手段に第１のフレームを上位スイッチに送信させるための制御手段と、第１の通信手段によって受信された第１のフレームを光加入者線終端装置宛ての第２のフレームに書換えて、第２の通信手段に第２のフレームを光加入者線終端装置に送信させるための書換手段とを含む。
【００１２】
制御手段が自身宛ての第１のフレームを生成して上位スイッチに送信し、書換手段が上位スイッチから受信した第１のフレームを光加入者線終端装置宛ての第２のフレームに書換えて光加入者線終端装置に送信するので、従来必要であったバッファをなくして、コストを削減することが可能となる。
【００１３】
請求項２に記載の光加入者線端局装置は、請求項１記載の光加入者線端局装置であって、制御手段は、第１のフレームに格納すべき情報を第１のフレームに格納せずに当該情報を書換手段に転送し、書換手段は、第１の通信手段によって受信された第１のフレームを第２のフレームに書換える際に、制御手段から転送された情報を第２のフレームに格納する。
【００１４】
したがって、書換手段は、制御手段から転送された情報をそのまま第２のフレームに格納するだけで、第１のフレームを第２のフレームに書換えることができ、処理を簡略化することが可能となる。
【００１５】
請求項３に記載の光加入者線端局装置は、請求項１記載の光加入者線端局装置であって、制御手段は一定周期で第１のフレームを生成して第１の通信手段に送信させ、書換手段は制御手段から第１のフレームの書換え指示があった場合にのみ、第１の通信手段によって受信された第１のフレームを第２のフレームに書換えて第２の通信手段に送信させ、制御手段から第１のフレームの書換え指示がない場合には、第１の通信手段によって受信された第１のフレームを廃棄する。
【００１６】
したがって、制御手段が一定周期で第１のフレームを上位スイッチに送信するので、書換手段は、ほぼ一定周期で第１のフレームを上位スイッチから受信できるようになり、主信号のトラフィックに左右されずに遅延時間のゆらぎを軽減することが可能になる。
【００１７】
請求項４に記載の光加入者線端局装置は、請求項１〜３のいずれかに記載の光加入者線端局装置であって、光加入者線終端装置のアドレスは、第１のフレームのデータフィールドに格納される。
【００１８】
したがって、書換手段は、第１のフレームのデータフィールドを参照して、第２のフレームを送信する光加入者線終端装置を特定することが可能となる。
【００１９】
請求項５に記載の光加入者線端局装置は、請求項１記載の光加入者線端局装置であって、制御手段は、光加入者線終端装置から送られ、光加入者線端局装置を経由して上位スイッチへ送信される上り信号を、上位スイッチへ送られる特定フレームと衝突しないように一括してアクセス制御を行なう。
【００２０】
したがって、従来必要であったバッファをなくして、コストを削減することが可能となる。
【００２１】
請求項６に記載のフレームの伝送方法は、光加入者線端局装置から光加入者線終端装置へ特定フレームを伝送するフレームの伝送方法であって、自身の光加入者線端局装置宛ての第１のフレームを生成して上位スイッチへ送信するステップと、上位スイッチから受信した第１のフレームを光加入者線終端装置宛ての第２のフレームに書換えて、光加入者線終端装置に送信するステップとを含む。
【００２２】
自身の光加入者線端局装置宛ての第１のフレームを生成して上位スイッチに送信し、上位スイッチから受信した第１のフレームを光加入者線終端装置宛ての第２のフレームに書換えて送信するので、従来必要であったバッファをなくして、コストを削減することが可能となる。
【００２３】
請求項７に記載のフレームの伝送方法は、請求項６記載のフレームの伝送方法であって、さらに上位スイッチが光加入者線端局装置から第１のフレームを受信したときに、当該第１のフレームを他のフレームに優先して光加入者線端局装置へ送信するステップを含む。
【００２４】
したがって、上位スイッチから第１のフレームを直ちに受信できるようになり、主信号のトラフィックに左右されずに遅延時間のゆらぎを軽減することが可能になる。
【００２５】
【発明の実施の形態】
図１は、本発明の実施の形態における局側装置の概略構成を示すブロック図である。この局側装置は、複数のＯＬＴ１−１〜１−ｎと、上位網インタフェース（以下、上位網ＩＦと略す。）２と、Ｌ２／Ｌ３スイッチ３とを含む。
【００２６】
Ｌ２／Ｌ３スイッチ３は、Ｌ２スイッチ（ブリッジ）またはＬ２−Ｌ３併用スイッチ（ブルータ）によって構成され、上位網ＩＦ２を介して上位ネットワークから受信したフレームをＯＬＴ１−１〜１−ｎに伝送する機能と、ＯＬＴ１−１〜１−ｎから受信したフレームを上位網ＩＦ２を介して上位ネットワークに伝送する機能と、後述するようにＯＬＴ１−１〜１−ｎから受信した制御フレームをそのままＯＬＴ１−１〜１−ｎに送り返す機能とを有している。また、Ｌ２／Ｌ３スイッチ３は、バッファ４を有しており、フレームの送受信時にフレームを一時的に蓄積することによって、一時的な輻輳を吸収している。
【００２７】
図２は、本発明の実施の形態におけるＯＬＴの概略構成を示すブロック図である。このＯＬＴ１は、ＯＬＴ１全体の制御を行なう制御部１１と、Ｌ２／Ｌ３スイッチ３からのフレームを受信する入力部１２と、Ｌ２／Ｌ３スイッチ３から受信した制御フレームを書換える制御フレーム書換部１３と、制御フレーム書換部１３から出力された制御フレームなどを図示しないＯＮＵ（光加入者線終端装置）へ送信する送信部１４と、ＯＮＵからデータフレームなどを受信する受信部１６と、制御部１１によって生成された制御フレームや受信部１６から出力されたデータフレームをＬ２／Ｌ３スイッチ３に送信する出力部１７と、送信部１４から出力されたデータフレームなどを光信号に変換してＰＯＮ伝送路を介してＯＮＵへ送信し、ＰＯＮ伝送路を介してＯＮＵから受信した光信号を電気信号に変換して受信部１６へ制御フレームなどを出力するＰＯＮ  Ｉ／Ｆ１５とを含む。
【００２８】
入力部１２は、Ｌ２／Ｌ３スイッチ３からのフレームを受信して、制御フレーム書換部１３に転送する。
【００２９】
制御フレーム書換部１３は、入力部１２から転送されたフレームが制御フレームであるか、データフレームであるかを判別する。転送されたフレームが制御フレームであれば、制御フレーム書換部１３は後述するように当該制御フレームを書換えて送信部１４に転送する。また、転送されたフレームがデータフレームであれば、制御フレーム書換部１３は当該データフレームをそのまま送信部１４に転送する。
【００３０】
受信部１６は、ＯＮＵから受信したフレームのヘッダ部分を読取ることによってデータフレームであるか、レポートフレームなどの制御フレームであるかを判定する。受信したフレームがデータフレームであれば、受信部１６は当該データフレームを出力部１７に転送する。また、受信したフレームが制御フレームであれば、受信部１６は当該制御フレームを制御部１１に転送する。
【００３１】
出力部１７は、制御部１１または受信部１６から制御フレームまたはデータフレームを受けると、制御フレームまたはデータフレームをＬ２／Ｌ３スイッチ３へ送信する。
【００３２】
制御部１１は、ＯＮＵへ送信するグラントフレームなどの制御フレームを生成して出力部１７に転送する機能、受信部１６から転送されたレポートフレームなどの制御フレームに応じてＯＬＴ全体の制御を行なう機能等を有している。
【００３３】
図３は、制御部１１によって生成され、Ｌ２／Ｌ３スイッチ３に送信される制御フレームのフレーム構造の一例を示す図である。図３（ａ）に示す制御フレームは、上位スイッチがＬ２のみを対象とする場合の制御フレームのフレーム構造を示している。Ｌ２−ＤＡ２１は、送信先のアドレスを示している。また、Ｌ２−ＳＡ２２は、送信元のアドレスを示している。このＬ２−ＤＡ２１およびＬ２−ＳＡ２２には、ＯＬＴに固有でかつ排他的なＭＡＣ（Media Access Control）アドレスが格納される。制御部１１は、制御フレームを生成するときに、制御フレームの送信先ＯＬＴのＭＡＣアドレス、すなわち自身のＭＡＣアドレスを、このＬ２−ＤＡ２１およびＬ２−ＳＡ２２に格納する。
【００３４】
通常、Ｌ２スイッチは、受信ポートと同じポートに送信することはないが、このＭＡＣアドレスに関してはＬ２／Ｌ３スイッチ３が制御フレームをＯＬＴ１−１〜１−ｎに送り返すことが可能となるようにＬ２スイッチが設定されるものとする。
【００３５】
また、図３（ａ）に示すＤＡＴＡフィールド２３には、制御フレームの種類やパラメータ、タイムスタンプ、本来の制御フレームの宛先となるＯＮＵの識別子などが格納される。このＤＡＴＡフィールド２３に格納される情報のうち、制御フレーム書換部１３によって書換えられる情報については任意の値でもよい。
【００３６】
また、ＦＣＳ２４には、伝送誤りを検出するためのフレームチェックシーケンスが格納される。
【００３７】
図３（ｂ）に示す制御フレームは、上位スイッチがＬ２およびＬ３を対象とする場合の制御フレームのフレーム構造の一例を示している。Ｌ２−ＳＡ３２，Ｌ３−ＤＡ３３およびＬ３−ＳＡ３４には、ＯＬＴに固有でかつ排他的なアドレスが格納される。たとえば、Ｌ２−ＳＡ３２にはＭＡＣアドレスが、Ｌ３−ＤＡ３３およびＬ３−ＳＡ３４にはＬ３スイッチのアドレスが格納される。また、Ｌ２−ＤＡ３２には、Ｌ３スイッチのアドレス（Ｌ３処理への入り口）が格納される。制御部１１は、制御フレームを生成するときに、制御フレームの送信先ＯＬＴのアドレス、すなわち自身のアドレスを、このＬ２−ＳＡ３２，Ｌ３−ＤＡ３３およびＬ３−ＳＡ３４に格納し、Ｌ３スイッチのアドレスをＬ２−ＤＡ３１に格納する。
【００３８】
また、図３（ｂ）に示すＤＡＴＡフィールド３５には、制御フレームの種類やパラメータ、タイムスタンプ、本来の制御フレームの宛先となるＯＮＵの識別子などが格納される。このＤＡＴＡフィールド３５に格納される情報のうち、制御フレーム書換部１３によって書換えられる情報については任意の値でもよい。
【００３９】
また、ＦＣＳ３６には、伝送誤りを検出するためのフレームチェックシーケンスが格納される。
【００４０】
図４は、制御フレーム書換部１３によって書換えられた後の制御フレームのフレーム構造の一例を示す図である。このフレーム構造は、形式的には標準規格に従うものである。Ｌ２−ＤＡ４１には、制御フレームの宛先となるＯＮＵのＭＡＣアドレスが格納される。Ｌ２−ＳＡ４２には、ＯＬＴに固有でかつ排他的に与えられるＭＡＣアドレスが格納される。
【００４１】
また、ＴＹＰＥ４３には、ＰＯＮの制御フレームであることを示す値が格納される。また、ＤＡＴＡフィールド４４には、制御フレームの種類やパラメータ、タイムスタンプなどが格納される。また、ＦＣＳ４５には、伝送誤りを検出するためのフレームチェックシーケンスが格納される。
【００４２】
制御フレーム書換部１３は、入力部１２から図３（ａ）または図３（ｂ）に示す制御フレームを受けると、ＤＡＴＡフレーム２３または３５に格納されたＯＮＵ識別子から、そのＯＮＵのＭＡＣアドレスを抽出してＬ２−ＤＡ４１に格納する。また、ＤＡＴＡフィールド４４のタイムスタンプにそのときの時刻を反映させると共に、ＦＣＳを再計算してその値をＦＣＳ４５に格納する。
【００４３】
このようにして、制御フレームは制御フレーム書換部１３によって書換えられて図４に示す制御フレームが生成される。そして、この書換えられた制御フレームは、送信部１４、ＰＯＮ  Ｉ／Ｆ１５およびＰＯＮ伝送路を介して送信先となるＯＮＵに送信される。
【００４４】
また、制御部１１が制御フレームを作成するときに、ＤＡＴＡフィールド２３または３５に情報を格納せず、制御部１１が必要な情報を直接制御フレーム書換部１３に転送するようにしてもよい。この場合、制御フレーム書換部１３がＬ２／Ｌ３スイッチ３から制御フレームを受信したときに、制御部１１から転送された情報を参照して制御フレームを書換えて送信部１４に転送する。
【００４５】
以上の説明において、制御部１１は制御フレームの生成の必要性を認識した時点で制御フレームを生成するようにしているが、制御部１１が一定周期で特に意味を持たない制御フレームを生成してＬ２／Ｌ３スイッチ３へ送信し、制御フレーム書換部１３が制御部１１から制御フレームの書換え指示があった場合にのみ、Ｌ２／Ｌ３スイッチ３から受信した制御フレームを書換えてＯＮＵに送信するようにしてもよい。なお、制御フレーム書換部１３は、制御部１１から制御フレームの書換え指示がなければ、Ｌ２／Ｌ３スイッチ３から受信した制御フレームを廃棄する。
【００４６】
また、Ｌ２／Ｌ３スイッチ３は、ＯＬＴから受信した制御フレームのうち、遅延時間を少なくする必要がある特定フレームを優先的にＯＬＴに送り返すようにしてもよい。
【００４７】
図５は、ＯＬＴの出力ポート（Ｏ１）およびＰＯＮ伝送路（Ｐ１）を流れる制御フレームおよびデータフレームを時系列で表した図である。ＰＯＮ伝送路（Ｐ１）の線の上段は上りの制御フレームおよびデータフレームを表し、下段は下りの制御フレームおよびデータフレームを表している。
【００４８】
Ｇ１，Ｇ２およびＧ３は、それぞれＯＮＵ１，ＯＮＵ２およびＯＮＵ３に対するＧＡＴＥメッセージを表している。また、Ｒ１，Ｒ２およびＲ３は、それぞれＯＮＵ１，ＯＮＵ２およびＯＮＵ３からのＲＥＰＯＲＴメッセージを表している。さらには、Ｄ１，Ｄ２およびＤ３は、それぞれＯＮＵ１，ＯＮＵ２およびＯＮＵ３からのデータを表している。
【００４９】
図５は、集中型のＤＢＡ（Dynamic Bandwidth Assignment）の例を示しており、ＧｎはＯＮＵｎに対する２つのグラントを含み、ＲｎとＤｎとの送出ウィンドウを指定する。また、ＸｎはＯＬＴの制御部１１によって生成され、Ｌ２／Ｌ３スイッチ３へ送出される制御フレームである。このＸｎは、制御部１１がＧｎを生成するときに参照される。
【００５０】
ＰＯＮ伝送路（Ｐ１）の上りフレームの配置は、ＯＬＴの制御部１１によって指示されるため、制御部１１は、上りフレームの合間に制御フレームＸｎが挿入されるように、他の上りフレームのタイミングを制御することができる。図５においては、制御フレームＸ１，Ｘ２およびＸ３を送出する区間に他の上りフレームがないように、制御部１１が排他制御を行なっている。
【００５１】
図６は、ＲＥＰＯＲＴメッセージなどＯＬＴによって終端され、ＯＬＴの出力ポート（Ｏ１）には現れないＰＯＮ制御フレームが占めていたウィンドウにＸｎを挿入する場合のフレームの流れを示す図である。このように、ＯＬＴに対してＲＥＰＯＲＴメッセージなどを送出しているときに、制御フレームＸｎをＬ２／Ｌ３スイッチ３へ送出することによって、上り帯域を有効に利用することが可能となる。
【００５２】
したがって、ＯＬＴの制御部１１は、上り方向の主信号に制御フレームを合流させる場合にも、バッファなどの緩衝機構を用いずに行なうことが可能である。
【００５３】
以上説明したように、本実施の形態におけるＯＬＴによれば、制御部１１が自身のＯＬＴ宛ての制御フレームを作成して出力部１７を介してＬ２／Ｌ３スイッチ３に送信し、制御フレーム１３が入力部１２を介してＬ２／Ｌ３スイッチ３から受信した当該制御フレームをＯＮＵ宛てに書換えて出力するようにしたので、従来のようにＬ２／Ｌ３スイッチ３から受信したフレームの合間に制御フレームを挿入する必要がなくなり、従来ＯＬＴ内に必要であったバッファメモリを削除することが可能となった。
【００５４】
また、Ｌ２／Ｌ３スイッチ３において、ＯＬＴから受信した制御フレームのうち、特定フレームを優先的にＯＬＴに送り返すようにすれば、特定フレームの遅延時間を軽減することができ、主信号のトラフィックに左右されることなく遅延時間のゆらぎを軽減することが可能になる。
【００５５】
今回開示された実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００５６】
【発明の効果】
請求項１に記載の光加入者線端局装置によれば、制御手段が自身宛ての第１のフレームを生成して上位スイッチに送信し、書換手段が上位スイッチから受信した第１のフレームを光加入者線終端装置宛ての第２のフレームに書換えて光加入者線終端装置に送信するので、従来必要であったバッファをなくして、コストを削減することが可能となった。
【００５７】
請求項２に記載の光加入者線端局装置によれば、書換手段が、制御手段から転送された情報をそのまま第２のフレームに格納するだけで、第１のフレームを第２のフレームに書換えることができ、処理を簡略化することが可能となった。
【００５８】
請求項３に記載の光加入者線端局装置によれば、制御手段が一定周期で第１のフレームを上位スイッチに送信するので、書換手段は、ほぼ一定周期で第１のフレームを上位スイッチから受信できるようになり、主信号のトラフィックに左右されずに遅延時間のゆらぎを軽減することが可能になった。
【００５９】
請求項４に記載の光加入者線端局装置によれば、書換手段は、第１のフレームのデータフィールドを参照して、第２のフレームを送信する光加入者線終端装置を特定することが可能となった。
【００６０】
請求項５に記載の光加入者線端局装置によれば、制御手段が、光加入者線終端装置から送られ、光加入者線端局装置を経由して上位スイッチへ送信される上り信号を、上位スイッチへ送られる特定フレームと衝突しないように一括してアクセス制御を行なうので、従来必要であったバッファをなくして、コストを削減することが可能となった。
【００６１】
請求項６に記載のフレームの伝送方法によれば、自身の光加入者線端局装置宛ての第１のフレームを生成して上位スイッチに送信し、上位スイッチから受信した第１のフレームを光加入者線終端装置宛ての第２のフレームに書換えて送信するので、従来必要であったバッファをなくして、コストを削減することが可能となった。
【００６２】
請求項７に記載のフレームの伝送方法によれば、上位スイッチから第１のフレームを直ちに受信できるようになり、主信号のトラフィックに左右されずに遅延時間のゆらぎを軽減することが可能になった。
【図面の簡単な説明】
【図１】本発明の実施の形態における局側装置の概略構成を示すブロック図である。
【図２】本発明の実施の形態におけるＯＬＴの概略構成を示すブロック図である。
【図３】制御部１１によって生成され、Ｌ２／Ｌ３スイッチ３に送信される制御フレームのフレーム構造の一例を示す図である。
【図４】制御フレーム書換部１３によって書換えられた後の制御フレームのフレーム構造の一例を示す図である。
【図５】ＯＬＴの出力ポート（Ｏ１）およびＰＯＮ伝送路（Ｐ１）を流れる制御フレームおよびデータフレームを時系列で表した図である。
【図６】ＯＬＴの出力ポート（Ｏ１）には現れないＰＯＮ制御フレームが占めていたウィンドウにＸｎを挿入する場合のフレームの流れを示す図である。
【符号の説明】
１，１−１〜１−ｎ  ＯＬＴ、２  上位網ＩＦ、３  Ｌ２／Ｌ３スイッチ、４バッファ、１１  制御部、１２  入力部、１３  制御フレーム書換部、１４  送信部、１５  ＰＯＮ  Ｉ／Ｆ、１６  受信部、１７  出力部。
【図１】
2004201013.tif 000003
【図２】
2004201013.tif 000004
【図３】
2004201013.tif 000005
【図４】
2004201013.tif 000006
【図５】
2004201013.tif 000007
【図６】
2004201013.tif 000008